(57)【要約】      （修正有）【課題】特に取り付けが容易で且つ調整に便利な位置決め装置であって、且つ緊急情況に遭遇する時、安全ベルトの発生する引っ張り力により係止部材を自動的に弾性開放させて、安全ベルトの防護機能が下がるのを防止できる位置決め装置を提供する。【解決手段】上カバーの上方の中央部に係止孔とバネ孔が設けられ、該係止孔内に係止部材が設けられ、該係止部材の前端にフック部が設けられ、係止部材の後端が係止孔内に枢設され、且つ係止部材下方に長形凸条とバネ固定ブロックが設けられ、バネの二端がバネ固定ブロックとバネ孔内に取り付けられ、上カバーの枢設端の反対端に開閉タブとフックが設けられ、係止部材が係止孔に取り付けられた後、係止部材のフック部が上カバー内部の開閉タブに係合し、別に下カバーの枢設端の反対端に上カバーのフックに対応する係止部が設けられ、下カバー内部に長方形凹溝が設けられ且つ長方形凹溝の二側に補強リブが設けられる。【選択図】図３
0003112251.tif 000002
【実用新案登録請求の範囲】
【請求項１】
上カバーと下カバーが枢設されてなる安全ベルトの位置決め装置であって、
上カバーの上方の中央部に係止孔とバネ孔が設けられ、該係止孔内に係止部材が設けられ、該係止部材の前端にフック部が設けられ、係止部材の後端が係止孔内に枢設され、且つ係止部材下方に長形凸条とバネ固定ブロックが設けられ、バネの二端がバネ固定ブロックとバネ孔内に取り付けられ、上カバーの枢設端の反対端に開閉タブとフックが設けられ、係止部材が係止孔に取り付けられた後、係止部材のフック部が上カバー内部の開閉タブに係合し、別に下カバーの枢設端の反対端に上カバーのフックに対応する係止部が設けられ、下カバー内部に長方形凹溝が設けられ且つ長方形凹溝の二側に補強リブが設けられたことを特徴とする、安全ベルトの位置決め装置。
【請求項２】
請求項１記載の安全ベルトの位置決め装置において、係止部材の上方に止滑凸粒が設けられたことを特徴とする、安全ベルトの位置決め装置。
【請求項３】
請求項１記載の安全ベルトの位置決め装置において、下カバーの外壁に止滑凸粒が設けられたことを特徴とする、安全ベルトの位置決め装置。
【考案の詳細な説明】
【技術分野】
【０００１】
本考案は安全ベルトの位置決め装置に係り、特に、上カバーと下カバーで構成され、上カバーの係止孔内に係止部材が設けられ、この係止部材により位置決め装置の安全ベルトにおける位置を固定して安全ベルトの緊張度を調整でき、取り付けが容易で調整に便利な安全ベルトの位置決め装置に関する。
【背景技術】
【０００２】
台湾国内の調査データによると、交通事故中、ドライバー及び前部座席乗客の安全ベルト着用と安全ベルト未着用の死傷比率は１：７であり、この数字は十分に安全ベルト着用の重要性を証明している。これにより、政府は運転時の安全ベルト着用を義務づける法律を制定した。安全ベルト着用の正確な方法は以下のとおりである。ほとんどの新型の安全ベルトは自動式とされるが、以下の数点に注意しなければならない（特に手動調整式安全ベルトの場合）。即ち安全ベルトの横帯が使用者の腹部でなく大腿の上を跨ぐようにして使用者の臀部を固定し、更に斜帯を肩の中間に掛けて胸部の鎖骨位置に緊接するようにし、並びにバックルを身体傍らに垂らし、安全ベルトに他の物件が絡まったり押しつけられないようにし、且つねじれがないようにし、その後、係止する。必要であれば、安全ベルトの緊緩を調整する。ただし過度にきついと使用者が座った時に不快感がある。これにより市場には安全ベルトの長さを調整するための位置決め装置が出現している。
【０００３】
図１、２に示されるように、一般に使用されている位置決め装置ａは、上カバーａ１、下カバーａ２で構成され、該上カバーａ１、下カバーａ２の内側面に複数の凸条ａ１１、ａ２１が設けられ、且つ上カバーａ１、下カバーａ２の一側が連接部ａ３で相互に接続され、もう一端には係止部ａ１２及び係止孔ａ２２が設けられている。使用時には、先に乗客の体型に合わせて必要な長さに調整し、続いて上カバーａ１、下カバーａ２を閉じ合わせる時、凸条ａ１１、ａ２１により位置決め装置ａが安全ベルトｂを挟持するように固定され、安全ベルトｂが内部のバネの引っ張り力により引き戻されることがなく、適度な緊張度を発生してその快適性を増す。但し緊急情況が発生する時、安全ベルトｂ内部のバネが内向きの引っ張り力を発生し、位置決め装置ａの阻止を受け、安全ベルトｂが情況に応じての自動調整不能となり、このため安全ベルトｂの防護機能が大幅に下がる。
【考案の開示】
【考案が解決しようとする課題】
【０００４】
本考案は上述の安全ベルトの位置決め装置の欠点を鑑み、特に取り付けが容易で且つ調整に便利な位置決め装置であって、且つ緊急情況に遭遇する時、安全ベルトの発生する引っ張り力により係止部材を自動的に弾性開放させて、安全ベルトの防護機能が下がるのを防止できる位置決め装置を提供するものである。
【０００５】
本考案の主要な目的は一種の安全ベルトの位置決め装置を提供することにあり、それは取り付けが容易で且つ調整に便利であり、安全ベルトの安全性の低下を防止できるものとする。
【課題を解決するための手段】
【０００６】
請求項１の考案は、上カバーと下カバーが枢設されてなる安全ベルトの位置決め装置であって、
上カバーの上方の中央部に係止孔とバネ孔が設けられ、該係止孔内に係止部材が設けられ、該係止部材の前端にフック部が設けられ、係止部材の後端が係止孔内に枢設され、且つ係止部材下方に長形凸条とバネ固定ブロックが設けられ、バネの二端がバネ固定ブロックとバネ孔内に取り付けられ、上カバーの枢設端の反対端に開閉タブとフックが設けられ、係止部材が係止孔に取り付けられた後、係止部材のフック部が上カバー内部の開閉タブに係合し、別に下カバーの枢設端の反対端に上カバーのフックに対応する係止部が設けられ、下カバー内部に長方形凹溝が設けられ且つ長方形凹溝の二側に補強リブが設けられたことを特徴とする、安全ベルトの位置決め装置としている。
請求項２の考案は、請求項１記載の安全ベルトの位置決め装置において、係止部材の上方に止滑凸粒が設けられたことを特徴とする、安全ベルトの位置決め装置としている。
請求項３の考案は、請求項１記載の安全ベルトの位置決め装置において、下カバーの外壁に止滑凸粒が設けられたことを特徴とする、安全ベルトの位置決め装置としている。
【考案の効果】
【０００７】
本考案の安全ベルトの位置決め装置は、上カバーと下カバーで安全ベルトを挟んだ後、上カバーの係止部材により安全ベルトの緊張度を調整でき、取り付けが容易で調整に便利で、且つこの構造は安全ベルトの防護機能が下がるのを防止できる。ゆえに本考案は実用性と進歩性を具えている。
【考案を実施するための最良の形態】
【０００８】
本考案の安全ベルトの位置決め装置は上カバーと下カバーが枢設されてなり、上カバーの上方の所定の位置に係止孔とバネ孔が開設され、該係止孔内に係止部材が設けられ、この係止部材の前端にフック部が設けられ、後端が係止孔内に枢設され、且つ係止部材下方に長形凸条とバネ固定ブロックが設けられ、バネの二端がバネ固定ブロックとバネ孔内に取り付けられ、係止部材の上方に止滑凸粒が設けられ、上カバーの枢設端の反対端に開閉タブとフックが設けられ、係止部材が係止孔に取り付けられた後、係止部材のフック部が上カバー内部の開閉タブに係合し、別に下カバーの枢設端の反対端に上カバーのフックに対応する係止部が設けられ、下カバー内部に長方形凹溝が設けられ且つ長方形凹溝の二側に補強リブが設けられ、且つ外壁に止滑凸粒が設けられている。
【０００９】
以上の構造を取り付けて使用する時、位置決め装置の上カバーと下カバーで安全ベルトを挟み、並びに位置決め装置に可動の弾性を具備させ、その取り付け方式は相当に簡単で、便利である。続いて、位置決め装置をスライドさせて、それを適当な位置とした後、係止部材を内向きに押し込み、そのフック部を上カバーの開閉タブに係合させて固定し、更に係止部材内部の長形凸条と下カバー内部の凹溝の補強リブで緊密に安全ベルトを締めつけ、安全ベルトの長さを固定して安全ベルトの緊張度を調整する目的を達成する。緊急情況に遭遇する時、安全ベルトは固定端と可動端の間で引っ張りの張力を発生し、この時、係止部材がこの張力により自動的に弾性開放されて安全ベルトを自由スライド状態に回復させ、安全ベルトの防護機能が下がるのを防止する。
【実施例１】
【００１０】
図３、４に示されるように、本考案の安全ベルトの位置決め装置１は、上カバー１０と下カバー２０が枢設されてなり、上カバー１０の上方の所定の位置に係止孔１１とバネ孔１２が開設され、該係止孔１１内に係止部材３０が設けられ、この係止部材３０の前端にフック部３１が設けられ、後端が係止孔１１内に枢設され、且つ係止部材３０下方に長形凸条３２とバネ固定ブロック３３が設けられ、バネ４０の二端がバネ固定ブロック３３とバネ孔１２内に取り付けられ、係止部材３０の上方に止滑凸粒３４が設けられ、上カバー１０の枢設端の反対端に開閉タブ１３とフック１４が設けられ、係止部材３０が係止孔１１に取り付けられた後、係止部材３０のフック部３１が上カバー１０内部の開閉タブ１３に係合する。別に下カバー２０の枢設端の反対端に上カバー１０のフック１４に対応する係止部２１が設けられ、下カバー２０内部に長方形凹溝２２が設けられ且つ長方形凹溝２２の二側に補強リブ２３が設けられ、且つ外壁に止滑凸粒２４が設けられている。
【００１１】
図５に示されるように、本考案の係止孔１１と係止部材３０にはスライド式の結合方式が採用され、係止孔１１の係止部材３０との結合端にスライド空間１１ａが設けられ、並びに該スライド空間１１ａの二側にそれぞれバネ片１１ｂが設けられ、且つバネ片１１ｂの上方にストッパ部１１ｃが設けられ、係止部材３０の後端の左右方向に延伸された凸柱３５がスライド空間１１ａ内に挿入され、並びにバネ片１１ｂの方向にスライドさせられ、凸柱３５がバネ片１１ｂ及びストッパ部１１ｃの間に係合されて、回転可能な形態とされる。
【００１２】
本考案の係止部材３０には二種類の安全ベルト２釈放の方式がある。図６に示されるように、第１種は直接上カバー１０側辺の開閉タブ１３を押圧して係止部材３０のフック部３１を離脱させた後、係止部材３０をバネ４０の弾力により上に移動させ、長形凸条３２と安全ベルト２を分離させて、位置決め装置１をスライド可能な状態とする、というものである。図７に示されるように、本考案の第２種の安全ベルト２釈放の方式は、位置決め装置１の二側の安全ベルト２を引っ張り、位置決め装置１内部に位置し補強リブ２３と長形凸条３２間に挟持された安全ベルト２に対して、二側の引っ張りの力により二つの補強リブ２３間の安全ベルト２を平らに引っ張り、長形凸条３２を補強リブ２３間の安全ベルト２により上向きに押し、係止部材３０前端のフック部３１と開閉タブ１３の係合を解除させる、というものである。第２種の釈放方式は緊急情況に遭遇した時、安全ベルト２が固定端と可動端の間で引っ張りの張力を発生する時に実行され、この時係止部材３０はこの張力により自動的に弾性開放され、これにより安全ベルト２の防護性能の低下を防止できる。
【図面の簡単な説明】
【００１３】
【図１】周知の技術の立体構造図である。
【図２】周知の技術の使用表示図である。
【図３】本考案の立体分解図である。
【図４】本考案の立体構造図である。
【図５】本考案の係止孔と係止部材の結合表示図である。
【図６】本考案の係止部材の釈放の表示図である。
【図７】本考案の係止部材の別の種類の釈放の表示図である。
【符号の説明】
【００１４】
１  位置決め装置          ２  安全ベルト
１０  上カバー            ２０  下カバー
３０  係止部材            ４０  バネ
１１  係止孔              １２  バネ孔
１３  開閉タブ            １４  フック
１１ａ  スライド空間      １１ｂ  バネ片
１１ｃ  ストッパ部        ２１  係止部
２２  長方形凹溝          ２３  補強リブ
２４、３４  止滑凸粒      ３１  フック部
３２  長形凸条            ３３  バネ固定ブロック
３５  凸柱
【図１】
0003112251.tif 000003
【図２】
0003112251.tif 000004
【図３】
0003112251.tif 000005
【図４】
0003112251.tif 000006
【図５】
0003112251.tif 000007
【図６】
0003112251.tif 000008
【図７】
0003112251.tif 000009